(57)【要約】      （修正有）【課題】断熱材の配置空間を確保できると共に、熱橋が形成され難い構成を備える額縁の取付構造及び建物を提供する。【解決手段】額縁９１の取付構造は、サッシ枠１２の屋内側に設けられる額縁９１の取付構造であって、額縁９１を下方から支持する板状支持部５１を少なくとも含む支持部材５０を備え、支持部材５０は、サッシ枠１２よりも熱伝導率の低い介在部材Ｘを介することで少なくとも一部がサッシ枠１２から離間した状態で、サッシ枠１２又は介在部材Ｘに対して固定されている。【選択図】図４
2019190178.tif 000002
【特許請求の範囲】
【請求項１】
サッシ枠の屋内側に設けられる額縁の取付構造であって、
前記額縁を下方から支持する板状支持部を少なくとも含む支持部材を備え、
前記支持部材は、前記サッシ枠よりも熱伝導率の低い介在部材を介することで少なくとも一部が前記サッシ枠から離間した状態で、前記サッシ枠又は前記介在部材に対して固定されていることを特徴とする額縁の取付構造。
【請求項２】
前記支持部材は、前記板状支持部から下方に向かって突出し、前記板状支持部との間に断熱材を収容する収容空間を区画する板状突出部を備えることを特徴とする、請求項１に記載の額縁の取付構造。
【請求項３】
前記介在部材は、前記サッシ枠が取り付けられているフレーム構造体であり、
前記支持部材は、前記フレーム構造体に対して固定されていることを特徴とする、請求項１又は２に記載の額縁の取付構造。
【請求項４】
前記フレーム構造体は、前記額縁の下側で、前記サッシ枠の屋内側のサッシ枠内面よりも更に屋内側に位置するフレーム内面を備え、
前記支持部材は、前記フレーム内面に固定されていることを特徴とする、請求項３に記載の額縁の取付構造。
【請求項５】
前記支持部材は、前記額縁の長さ方向に沿って離間して複数配置されていることを特徴とする、請求項１乃至４のいずれか１つに記載の額縁の取付構造。
【請求項６】
前記支持部材は、前記介在部材に対して固定されている固定部を備え、
前記固定部は、離間して複数配置されていることを特徴とする、請求項１乃至５のいずれか１つに記載の額縁の取付構造。
【請求項７】
前記サッシ枠は、樹脂製である、又は、樹脂と金属との組み合わせからなる、ことを特徴とする、請求項１乃至６のいずれか１つに記載の額縁の取付構造。
【請求項８】
請求項１乃至７のいずれか１つに記載の額縁の取付構造を備える建物。
【発明の詳細な説明】
【技術分野】
【０００１】
本発明は、額縁の取付構造及び建物に関する。
【背景技術】
【０００２】
従来からサッシ枠の屋内側に額縁を設ける構成が知られている。この種の額縁は、鉛直方向の下方に配置される支持部材により支持される。特許文献１には、この種の額縁及び支持部材が開示されている。
【先行技術文献】
【特許文献】
【０００３】
【特許文献１】特開２０００−３１００８６号公報
【発明の概要】
【発明が解決しようとする課題】
【０００４】
特許文献１では、額縁の鉛直方向の下方に比較的大きい支持部材が配置されるため、壁内の断熱材の配置空間が確保し難い。これに対して、支持部材をサッシ枠に対して直接接触させた状態で取り付けることにより、額縁の鉛直方向の下方において断熱材の配置空間を拡げることが考えられる。しかしながら、支持部材が屋内外の熱を伝える熱橋となり易く、結露等への対策が必要となり得る。
【０００５】
本発明は、断熱材の配置空間を確保できると共に、熱橋が形成され難い構成を備える額縁の取付構造及び建物を提供することを目的とする。
【課題を解決するための手段】
【０００６】
本発明の第１の態様としての額縁の取付構造は、サッシ枠の屋内側に設けられる額縁の取付構造であって、前記額縁を下方から支持する板状支持部を少なくとも含む支持部材を備え、前記支持部材は、前記サッシ枠よりも熱伝導率の低い介在部材を介することで少なくとも一部が前記サッシ枠から離間した状態で、前記サッシ枠又は前記介在部材に対して固定されている。
【０００７】
本発明の１つの実施形態として、前記支持部材は、前記板状支持部から下方に向かって突出し、前記板状支持部との間に断熱材を収容する収容空間を区画する板状突出部を備えることが好ましい。
【０００８】
本発明の１つの実施形態として、前記介在部材は、前記サッシ枠が取り付けられているフレーム構造体であり、前記支持部材は、前記フレーム構造体に対して固定されていることが好ましい。
【０００９】
本発明の１つの実施形態として、前記フレーム構造体は、前記額縁の下側で、前記サッシ枠の屋内側のサッシ枠内面よりも更に屋内側に位置するフレーム内面を備え、前記支持部材は、前記フレーム内面に固定されていることが好ましい。
【００１０】
本発明の１つの実施形態として、前記支持部材は、前記額縁の長さ方向に沿って離間して複数配置されていることが好ましい。
【００１１】
本発明の１つの実施形態として、前記支持部材は、前記介在部材に対して固定されている固定部を備え、前記固定部は、離間して複数配置されていることが好ましい。
【００１２】
本発明の１つの実施形態として、前記サッシ枠は、樹脂製である、又は、樹脂と金属との組み合わせからなる、ことが好ましい。
【００１３】
本発明の第２の態様としての建物は、上記取付構造を備える建物である。
【発明の効果】
【００１４】
本発明によれば、断熱材の配置空間を確保できると共に、熱橋が形成され難い構成を備える額縁の取付構造及び建物を提供することができる。
【図面の簡単な説明】
【００１５】
【図１】本発明の一実施形態としての額縁の取付構造、を備える開口部構造を示す図である。
【図２】図１に示す開口部構造に含まれるサッシユニットの分解斜視図である。
【図３】図２に示すサッシユニットのうちフレーム構造体を示す斜視図である。
【図４】図１に示す額縁の取付構造の詳細を示す図である。
【図５】図４に示す支持部材、横フレーム部、及び、額縁の下辺部、を屋内側から見た図である。
【発明を実施するための形態】
【００１６】
以下、本発明に係る額縁の取付構造及び建物について、図１〜図５を参照して説明する。各図において共通する部材・部位には同一の符号を付している。
【００１７】
図１は、本発明の一実施形態としての額縁９１の取付構造、を備える開口部構造を示す図である。図１は、開口部構造を含む外壁部１の水平断面を示している。図２は、図１に示す開口部構造に含まれるサッシユニット２００の分解斜視図である。図３は、サッシユニット２００のうちフレーム構造体１００を示す斜視図である。まず、図１に示す開口部構造を備える建物の概略について説明する。
【００１８】
本実施形態の建物は、例えば鉄骨造の骨組みを有する２階建ての住宅であり、鉄筋コンクリート造の基礎と、柱や梁などの部材で構成された架構を有し、基礎に固定された上部構造体と、で構成される。なお、架構を構成する部材は、予め規格化（標準化）されたものであり、予め工場にて製造されたのち建築現場に搬入されて組み立てられる。
【００１９】
上部構造体の架構は、複数の柱及び複数の梁などから構成されている。架構の外周部には、外周壁を構成する外装材等が配置される。また、架構の層間部には、床部を構成する床スラブ材等が配置される。更に、架構の上部には、陸屋根を構成する屋根床スラブ材等が配置される。
【００２０】
建物の外周壁は、例えば、表面側に防水層としての塗膜が形成された軽量気泡コンクリート（ＡＬＣ）からなるパネル状の外装材を連接されて構成された外部仕上げ層と、例えば、フェノールフォーム等の発泡樹脂系のパネル状の断熱材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、この構成に限定されるものではない。外周壁は、少なくとも所定の防耐火性能及び防水性能を有している。なお、本実施形態の建物は、所謂「外断熱構造」を備えており、架構を構成する柱及び梁に対して、外周壁の厚み方向における屋外側に、断熱材が配置されている。
【００２１】
建物の床部は、床スラブ材を含む。床スラブ材は、架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階としての１階の天井面を構成する天井内装材や、床スラブ材上に積層された、上階としての２階の床面を構成するフローリング等の床内装材などを含むものであってもよい。
【００２２】
なお、陸屋根を構成する屋根床スラブ材についても、ＡＬＣパネルを用いることができるが、ＡＬＣパネルに限られるものではない。また、屋根床スラブ材は、例えば塩化ビニル樹脂から形成されている防水シート等により覆われることにより、防水処理が施されている。また、建物の屋根は、陸屋根に限らず、スレート等の屋根外装材を用いた勾配屋根としてもよい。
【００２３】
次に、図１〜図３を参照して、開口部構造について説明する。
【００２４】
図１に示すように、外壁部１には開口部２が形成されている。開口部２は、外壁部１の開口部２に面する周囲端面により区画されている。以下、外壁部１の厚み方向Ａの屋外側を単に「屋外側」と記載し、外壁部１の厚み方向Ａの屋内側を単に「屋内側」と記載する場合がある。図１では、開口部構造に対して上側が屋外側であり、開口部構造に対して下側が屋内側である。
【００２５】
外壁部１とは、建物の屋内空間と屋外空間とを区画する壁であり、上述した外周壁は、外壁部１の一態様である。
【００２６】
より具体的に、本実施形態の外壁部１は、屋外空間に面するパネル状の外装材１ａと、外壁部１の厚み方向Ａにおいて外装材１ａの屋内側に位置するパネル状の断熱材１ｂと、厚み方向Ａにおいて断熱材１ｂの屋内側に位置し、石膏ボートと石膏ボード表面に貼設された壁クロス等の仕上げ材とで構成された内装材１ｃと、を備えている。また、本実施形態の断熱材１ｂは、架構を構成する柱及び梁に対して、外壁部１の厚み方向Ａで屋外側に位置している。そして、本実施形態の外壁部１の気密ラインは、断熱ラインの屋内側に形成されている。
【００２７】
開口部２は、外壁部１に形成されている、窓や出入り口などの開口である。図１に示す開口部構造では、開口部２として窓を示しているが、例えば、屋内空間と屋外空間とを行き来可能な出入り口であってもよい。
【００２８】
図１に示す開口部構造は、開口部２が形成されている外壁部１と、サッシ枠３と、第１縦フレーム部４と、横フレーム部５（図２、図３参照）と、第２縦フレーム部６と、建具１０と、を備えている。
【００２９】
なお、本実施形態では、図３に示すように、第１縦フレーム部４、横フレーム部５、及び、第２縦フレーム部６、により、サッシ枠３を建物の構造躯体に取り付け可能とするフレーム構造体１００が構成されている。また、本実施形態では、図２に示すように、フレーム構造体１００及びサッシ枠３により、サッシユニット２００が構成されている。図２では、説明の便宜上、フレーム構造体１００とサッシ枠３とを別々に示している。
【００３０】
サッシ枠３は、開口部２の周囲を区画する、外壁部１の周囲端面に沿って配置されている。本実施形態の開口部２には、開閉可能な建具１０が取り付けられている。したがって、本実施形態のサッシ枠３は、建具１０の周囲に位置しており、建具１０を開閉可能に保持している。なお、図１に示すように、サッシ枠３の屋内側には、木製等の内装枠としての額縁９１が設けられている。額縁９１の取付構造の詳細は後述する。
【００３１】
なお、本実施形態の建具１０は、二重にしたガラス板１０ａと、この二重にしたガラス板１０ａの枠材としての框１０ｂと、で構成されているが、この構成に限られるものではない。また、本実施形態では、開口部２に建具１０が取り付けられている例を示しているが、この構成に限らず、例えば、はめ殺し窓を設けた構成としてもよい。
【００３２】
図２に示すように、本実施形態のサッシ枠３は、開口部２の水平方向両側に位置し、縦方向としての鉛直方向に延在する２つの縦サッシ枠部１１と、縦方向に直交する横方向としての水平方向に延在し、上述の２つの縦サッシ枠部１１の間に架設されている２つの横サッシ枠部１２と、により構成されている。図１では、サッシ枠３のうち、２つの縦サッシ枠部１１が示されている。
【００３３】
縦サッシ枠部１１は、アルミニウムなどの金属製の本体部１１ａと、この本体部１１ａに対してねじやビス等で締結されている、又は、嵌合されて一体化されている、塩化ビニルなどの樹脂製の断熱部１１ｂと、本体部１１ａから外壁部１の周囲端面側に向かって突出する突出板部１１ｃと、を備えている。なお、断熱部１１ｂは、本体部１１ａよりも断熱性能が高い。また、断熱部１１ｂは、本体部１１ａよりも屋内側に位置している。
【００３４】
横サッシ枠部１２は、アルミニウムなどの金属製の本体部１２ａと、この本体部１２ａに対してねじやビス等で締結されている、又は、嵌合されて一体化されている、塩化ビニルなどの樹脂製の断熱部１２ｂと、本体部１２ａから外壁部１の周囲端面側に向かって突出する突出板部１２ｃと、を備えている。
【００３５】
図２に示すように、本実施形態の縦サッシ枠部１１及び横サッシ枠部１２は、縦サッシ枠部１１が横サッシ枠部１２に勝つようにして接続されている。換言すれば、各横サッシ枠部１２は、横サッシ枠部１２の長手方向において、２つの縦サッシ枠部１１により両側を挟まれている状態で、縦サッシ枠部１１と接続されている。
【００３６】
図１〜図３に示すように、第１縦フレーム部４は、縦方向としての鉛直方向に沿って延在している。図２に示すように、第１縦フレーム部４には、上述の縦サッシ枠部１１が取り付けられる。
【００３７】
より具体的に、本実施形態の第１縦フレーム部４には、上述のサッシ枠３を取付可能な取付面４ａが設けられており、この取付面４ａを介して、上述のサッシ枠３が取り付けられている。図１〜図３に示すように、第１縦フレーム部４は、水平方向に離間して２つ設けられており、これら２つの第１縦フレーム部４の間に、サッシ枠３の一部が嵌め込まれる。より具体的に、サッシ枠３の２つの縦サッシ枠部１１の本体部１１ａ及び断熱部１１ｂと、サッシ枠３の２つの横サッシ枠部１２の本体部１２ａ及び断熱部１２ｂと、が２つの第１縦フレーム部４の間に厚み方向Ａの屋外側から屋内側に向かって嵌め込まれている。そして、この嵌め込みの完了は、図２に示すように、サッシ枠３の縦サッシ枠部１１の突出板部１１ｃが、第１縦フレーム部４の取付面４ａに当接する位置である。また、この嵌め込みの完了は、図２に示すように、サッシ枠３の横サッシ枠部１２の突出板部１２ｃが、後述する横フレーム部５の取付面５ａに当接する位置でもある（図２参照）。このように、本実施形態のサッシ枠３は、第１縦フレーム部４及び横フレーム部５に対して位置決めされている。
【００３８】
また、上述したように、サッシ枠３は、第１縦フレーム部４の取付面４ａを介して、第１縦フレーム部４に取付可能である。本実施形態において、第１縦フレーム部４の取付面４ａは、第１縦フレーム部４のうち、横フレーム部５の幅方向Ｂ（図１の開口部構造では外壁部１の厚み方向Ａと同じ方向）において、第２縦フレーム部６が位置する側と反対側の面（図１では屋外側の面）により構成されている。また、取付面４ａには、複数の挿通孔が形成されている。そして、サッシ枠３の縦サッシ枠部１１の突出板部１１ｃにおいても、複数の挿通孔が形成されている。第１縦フレーム部４の取付面４ａの挿通孔と、縦サッシ枠部１１の突出板部１１ｃの挿通孔と、を共に挿通するねじやビス等の締結部材８ｂを用いることにより、第１縦フレーム部４に対して、サッシ枠３の縦サッシ枠部１１を、直接的に取り付けることができる。このように、本実施形態の第１縦フレーム部４には、ねじやビス等の締結部材８ｂにより、縦サッシ枠部１１が固定されている。
【００３９】
なお、本実施形態の第１縦フレーム部４は、コの字形状の断面外形を有する、鋼材から構成される長尺部材であり、底板部２１と、この底板部２１の両端から起立する第１側板部２２及び第２側板部２３と、を備えている。そして、本実施形態の第１縦フレーム部４は、コの字形状の長尺部材の開口が開口部２側に向くように鉛直方向に延在しており、屋外側に位置する第１側板部２２のうち屋外側の面により、上述の取付面４ａが構成されている。また、底板部２１は、外壁部１の外装材１ａの開口部２側の端面に当接した状態とされている。
【００４０】
更に、図３に示すように、本実施形態の第１縦フレーム部４は、鉛直方向において、複数の横フレーム部５に挟まれる位置に配置されている。具体的に、本実施形態の第１縦フレーム部４の底板部２１及び第２側板部２３は、鉛直方向において異なる位置に配置されている２つの横フレーム部５の間に挟まれて配置されている。
【００４１】
より具体的には、図２、図３に示すように、本実施形態の第１縦フレーム部４の第１側板部２２は、長手方向両端において、底板部２１及び第２側板部２３よりも突出して形成されている突出部２２ａを有する。そして、第１縦フレーム部４の底板部２１及び第２側板部２３を、第１側板部２２の突出部２２ａが横フレーム部５の取付面５ａに当接するまで、２つの横フレーム部５の間に嵌め込む。このようにすることで、第１縦フレーム部４の底板部２１及び第２側板部２３を、２つの横フレーム部５の間に配置させることができる。
【００４２】
横フレーム部５は、横方向としての水平方向に沿って延在している。また、横フレーム部５は、第１縦フレーム部４を支持している。本実施形態の横フレーム部５は、鉛直方向の異なる位置に複数設けられている。具体的に、本実施形態では、鉛直方向の異なる位置に２つの横フレーム部５が設けられている。
【００４３】
具体的に、本実施形態の横フレーム部５は、水平方向に沿って延在する長尺部材により構成されている。また、本実施形態の横フレーム部５は、鋼材により構成されている。そして、本実施形態の横フレーム部５は、第２縦フレーム部６に取り付けられる第１鉛直板部３１と、この第１鉛直板部３１の上端から水平方向に突出する第１水平板部３２と、この第１水平板部３２の先端から鉛直方向の下方に向かって延在する第２鉛直板部３３と、この第２鉛直板部３３の下端から第１鉛直板部３１側に向かって水平方向に延在する先端板部３４と、第１鉛直板部３１の下端から第１水平板部３２と同方向に向かって突出する第２水平板部３５と、この第２水平板部３５の先端から鉛直方向の上方に向かって延在する基端板部３６と、を備えている。
【００４４】
本実施形態の２つの横フレーム部５は、いずれも同形状を有してする。但し、２つの横フレーム部５は、上下対称になるように配置されており、第１水平板部３２同士が、鉛直方向に対向するように配置されている。したがって、上述した本実施形態の第１縦フレーム部４における底板部２１及び第２側板部２３は、図２、図３に示すように、２つの横フレーム部５の第１水平板部３２の間に挟まれて配置されている。また、第１縦フレーム部４は、横フレーム部５により支持されている。
【００４５】
第１鉛直板部３１は、後述する第２縦フレーム部６に略平行に延在しており、ねじやビス等の締結部材を用いて締結することで、第２縦フレーム部６に取り付けられる。但し、第１鉛直板部３１を、第２縦フレーム部６に対して溶接等することにより取り付けてもよい。
【００４６】
第２鉛直板部３３は、横フレーム部５の取付面５ａを構成する。つまり、上述したサッシ枠３の横サッシ枠部１２の突出板部１２ｃと、横フレーム部５の取付面５ａと、をビス等の締結部材８ｄを用いて締結することで、サッシ枠３を、横フレーム部５に取り付けることができる。このように、サッシ枠３を、直接的に横フレーム部５に対して、取り付けることができる。
【００４７】
より具体的に、横サッシ枠部１２の突出板部１２ｃには複数の挿通孔が形成されている。また、横フレーム部５の取付面５ａを構成する第２鉛直板部３３においても複数の挿通孔が形成されている。したがって、ねじやビス等の締結部材８ｄを、突出板部１２ｃの挿通孔と、第２鉛直板部３３の挿通孔と、を通るように挿通し、締結することで、突出板部１２ｃを取付面５ａに締結することができる。このようにして、サッシ枠３を、横フレーム部５に対して直接的に取り付けることができる。
【００４８】
また、縦サッシ枠部１１の第１側板部２２の鉛直方向上側に位置する突出部２２ａは、ねじやビス等の締結部材８ａにより、上側に位置する横フレーム部５の取付面５ａに締結されている。これに対して、縦サッシ枠部１１の第１側板部２２の鉛直方向下側に位置する突出部２２ａは、下側に位置する横フレーム部５の取付面５ａに締結されていない。
【００４９】
本実施形態の第２縦フレーム部６は、上述の横フレーム部５とは別体で構成されており、横フレーム部５に対して、ビスやネジ等の締結部材を用いて締結されることにより、取り付けられているが、この構成に限らず、横フレーム部５と一体で構成されている第２縦フレーム部としてもよい。
【００５０】
第２縦フレーム部６は、複数の横フレーム部５に対して、横フレーム部５の幅方向Ｂ（図１の開口部構造では厚み方向Ａと同じ方向）の一方側の位置に配置されている。具体的に、本実施形態の第２縦フレーム部６は、横フレーム部５の屋内側に配置されている。
【００５１】
また、本実施形態では、２つの第２縦フレーム部６が設けられている。本実施形態の各第２縦フレーム部６は、鉛直方向に延在する長尺部材により構成されている。更に、本実施形態の第２縦フレーム部６は、鋼材により構成されている。そして、第２縦フレーム部６は、横フレーム部５側に面する正面板部４１と、この正面板部４１の一端から背面側に向かって延在する側面板部４２と、この側面板部４２の後端から、正面板部４１と平行するように突出する後端板部４３と、を備えている。
【００５２】
本実施形態の２つの第２縦フレーム部６は、側面板部４２が、正面板部４１に対して開口部２側に配置されるように、左右対称に配置されている。
【００５３】
上述の横フレーム部５は、２つの第２縦フレーム部６の正面板部４１に跨るように、横フレーム部５の第１鉛直板部３１を取り付けることにより、２つの第２縦フレーム部６に対して取り付けられている。
【００５４】
また、第２縦フレーム部６は、横フレーム部５よりも鉛直方向の上方及び下方にそれぞれ突出し、建物の構造躯体に取り付け可能な躯体取付部を備えている。具体的には、図３に示すように、本実施形態の第２縦フレーム部６は、横フレーム部５よりも鉛直方向の上方に突出し、建物の構造躯体としての鉄骨梁に取り付け可能な第１躯体取付部６ａを備える。また、図３に示すように、本実施形態の第２縦フレーム部６は、横フレーム部５よりも鉛直方向の下方に突出し、建物の構造躯体としての鉄骨梁に取り付け可能な第２躯体取付部６ｂを備える。このように、本実施形態の第２縦フレーム部６は、上下梁に対して、ボルト及びナット、ビス、ねじ等の締結部材を用いて締結することで、取付可能である。
【００５５】
ここで、図１〜図３に示すように、第１縦フレーム部４と第２縦フレーム部６とは、横フレーム部５の幅方向Ｂ（図１の開口部構造では外壁部１の厚み方向Ａと同じ方向）において離間した位置に配置されている。このような構成とすれば、第１縦フレーム部４と第２縦フレーム部６とが横フレーム部５の幅方向Ｂにおいて離間していない構成とする場合と比較して、断熱ラインを形成し易い。つまり、横フレーム部５の幅方向Ｂにおける、第１縦フレーム部４と第２縦フレーム部６との間を、断熱材の配置位置として利用することができ、第１縦フレーム部４及び第２縦フレーム部６を設けても、横フレーム部５の延在方向（水平方向のうち厚み方向Ａと直交する方向Ｃ）に沿った連続した断熱ラインを、形成し易くすることができる。
【００５６】
なお、図１に示す開口部構造では、横フレーム部５の幅方向Ｂにおける、第１縦フレーム部４と第２縦フレーム部６の間の位置に、外壁部１の断熱材１ｂとは別の断熱材９を配置し、外壁部１の断熱材１ｂと、開口部２に設けられ断熱性を有する建具１０と、の間で断熱ラインが分断されないようにしている。このように、第１縦フレーム部４と第２縦フレーム部６とが、横フレーム部５の幅方向Ｂにおいて離間した位置に配置される開口部構造とすることで、断熱ラインを形成し易くすることができる。
【００５７】
次に、額縁９１の取付構造について説明する。
【００５８】
図４は、額縁９１の取付構造の詳細を示す図である。具体的に、図４は、額縁９１の下辺部９１ａ近傍を示す断面図である。図４において左側が屋外側であり、右側が屋内側である。
【００５９】
図１、図４に示すように、額縁９１は、サッシ枠３の屋内側に設けられている。また、図４に示すように、額縁９１は、支持部材５０により鉛直方向下方を支持されている。この支持部材５０は、サッシ枠３よりも熱伝導率の低い介在部材Ｘ（本実施形態ではフレーム構造体１００）を介することで一部がサッシ枠３から離間した状態で、介在部材Ｘに対して固定されている。このように、額縁９１を支持する支持部材５０の少なくとも一部が、介在部材Ｘを介することでサッシ枠３から離間した位置に固定されているため、例えば冬期において、外気がサッシ枠３から支持部材５０へと伝熱され難く、屋内側での結露を抑制できる。このように、支持部材５０が熱橋となり難くすることができる。
【００６０】
支持部材５０は、サッシ枠３よりも熱伝導率の低い介在部材Ｘを介することで少なくとも一部がサッシ枠３から離間した状態で、サッシ枠３又は介在部材Ｘに対して固定されていればよい。但し、本実施形態の支持部材５０のように、介在部材Ｘに対して固定されている構成とすることが好ましい。このようにすれば、サッシ枠３と支持部材５０との間の伝熱を、より低減できる。
【００６１】
また、支持部材５０は、額縁９１を下方から支持する板状支持部５１を少なくとも含む。そのため、額縁９１が板状ではない例えば角柱状の下地材で下方から支持される構成と比較して、額縁９１の鉛直方向下方の空間を確保し易くなる。その結果、板状支持部５１の鉛直方向下方に、断熱材１ｂを配置する配置空間を、より広く確保できる。
【００６２】
以下、本実施形態の額縁９１の取付構造の詳細について説明する。
【００６３】
図１、図４に示すように、本実施形態の額縁９１は、下辺部９１ａと、上辺部（不図示）と、下辺部９１ａ及び上辺部を連結する側辺部９１ｃ及び９１ｄと、を備える。下辺部９１ａ及び上辺部は、鉛直方向の異なる位置で水平方向に延在している。一方の側辺部９１ｃは、鉛直方向に延在しており、下辺部９１ａ及び上辺部の一方側の端部同士を連結している。他方の側辺部９１ｄは、鉛直方向に延在しており、下辺部９１ａ及び上辺部の他方側の端部同士を連結している。このように、下辺部９１ａ、上辺部、側辺部９１ｃ及び９１ｄにより、方形の内装枠としての額縁９１が形成されている。
【００６４】
支持部材５０は、上述した板状支持部５１に加えて、板状突出部５２を備える。
【００６５】
板状支持部５１は、厚み方向が鉛直方向となり、水平方向に延在する部分である。本実施形態では、額縁９１の下辺部９１ａが、板状支持部５１の上面上に支持されている。
【００６６】
板状突出部５２は、板状支持部５１から下方に向かって突出している。また、板状突出部５２は、板状支持部５１との間に断熱材１ｂを収容する収容空間Ｓを区画している。
【００６７】
より具体的に、本実施形態の板状突出部５２は、板状支持部５１の屋外側の端部から鉛直方向下方に向かって突出しており、板状支持部５１及び板状突出部５２により、断熱材１ｂの角部を収容可能な収容空間Ｓとしての凹空間が区画されている。
【００６８】
なお、本実施形態の支持部材５０は、板状支持部５１及び板状突出部５２からなるＬ形の鋼材により構成されているが、この構成に限られるものではなく、例えば、板状支持部５１及び板状突出部５２に加えて他の部位を有する支持部材としてもよい。
【００６９】
本実施形態の介在部材Ｘは、サッシ枠３が取り付けられているフレーム構造体１００であり、支持部材５０はフレーム構造体１００に対して固定されている。支持部材５０を固定する別構造が不要となり、断熱材１ｂを配置する配置空間を、より広く確保し易くなる。
【００７０】
なお、本実施形態のサッシ枠３は、上述したように、金属製の本体部１１ａ、１２ａ及び突出板部１１ｃ、１２ｃと、樹脂製の断熱部１１ｂ、１２ｂと、を含む（図２等参照）。すなわち、本実施形態のサッシ枠３は、樹脂と金属の組み合わせからなる複合サッシ枠である。
【００７１】
樹脂を含む複合サッシ枠の場合、樹脂の部分（本実施形態では断熱部１１ｂ、１２ｂ）は複合サッシ枠の屋内側に配置される。つまり、複合サッシ枠の場合、額縁９１は、サッシ枠の樹脂の部分の近傍となる。額縁９１をサッシ枠に対して固定する場合、サッシ枠の樹脂の部分では固定強度が不足するおそれがある。また、サッシ枠の金属の部分（本実施形態では本体部１１ａ、１２ａ）では熱橋が形成され易くなる。そのため、本実施形態のように、額縁９１を、支持部材５０を介してフレーム構造体１００に固定することで、熱橋の形成を抑制し、少なくとも一部に樹脂を含むサッシ枠の断熱性能を維持しつつ、支持部材５０を介してフレーム構造体１００に対して額縁９１を強固に固定することができる。
【００７２】
より具体的に、本実施形態のサッシ枠３の本体部１１ａ、１２ａはアルミニウムで形成されており、本実施形態のサッシ枠３の断熱部１１ｂ、１２ｂは塩化ビニルで形成されている。また、フレーム構造体１００は、鋼材により形成されている。つまり、本実施形態の介在部材Ｘとしてのフレーム構造体１００は、サッシ枠３の本体部１１ａ、１２ａよりも熱伝導率が低く、サッシ枠３の断熱部１１ｂ、１２ｂよりも熱伝導率が高い。図４に示すように、本実施形態の支持部材５０は、サッシ枠３の本体部１２ａよりも熱伝導率の低い介在部材Ｘを介することで一部がサッシ枠３から屋内側に離間した状態とされる。本実施形態では、介在部材Ｘとしてのフレーム構造体１００により、支持部材５０の板状突出部５２が、サッシ枠３の本体部１２ａから屋内側に離間した状態とされる。この状態で、本実施形態の支持部材５０は、ビス、ねじ等の締結部材８ｅにより、介在部材Ｘとしてのフレーム構造体１００に対して固定されている。
【００７３】
より具体的に、本実施形態のフレーム構造体１００は、額縁９１の鉛直方向の下側で、サッシ枠３の屋内側のサッシ枠内面１２ａ１よりも更に屋内側に位置するフレーム内面１０１を備え、支持部材５０は、フレーム内面１０１に固定されている。本実施形態のサッシ枠内面１２ａ１は、サッシ枠３の本体部１２ａの屋内側の面である。また、本実施形態のフレーム内面１０１は、横フレーム部５の第１鉛直板部３１の屋内側の面である。
【００７４】
すなわち、本実施形態の支持部材５０は、支持部材５０の板状突出部５２とフレーム構造体１００の横フレーム部５の第１鉛直板部３１とが締結部材８ｅにより締結されることにより、フレーム構造体１００に対して固定されている。
【００７５】
このように、支持部材５０が、サッシ枠内面１２ａ１よりも更に屋内側に位置するフレーム内面１０１に固定される構成とすることで、支持部材５０を、額縁９１の真下に、より近づけた状態で固定できるため、支持部材５０の板状支持部５１に対して負荷される曲げモーメントを小さくすることができる。そのため、支持部材５０の部材断面を小さくできる。これにより、支持部材５０を通じた伝熱を、より抑制することができる。
【００７６】
更に、本実施形態の支持部材５０は、介在部材Ｘとしてのフレーム構造体１００に対して固定されている固定部５２ａを備える。より具体的に、本実施形態の固定部５２ａは、支持部材５０の板状突出部５２に設けられている、締結部材８ｅの挿通孔近傍の部位である。本実施形態の固定部５２ａは、離間して複数配置されている。このように離間して配置される複数の固定部５２ａにより、支持部材５０をサッシ枠３及び介在部材Ｘのいずれか（本実施形態では介在部材Ｘとしてのフレーム構造体１００）に対して固定すれば、全域を溶接等して固定する構成と比較して、サッシ枠３と支持部材５０との間の伝熱を、より抑制することができる。
【００７７】
特に、支持部材５０が、複数の固定部５２ａでのみ、サッシ枠３又は介在部材Ｘに接触する構成とすることが好ましい。このようにすれば、支持部材５０と、サッシ枠３及び介在部材Ｘと、の接触面積を、より小さくすることができる。その結果、サッシ枠３と支持部材５０との間の伝熱を、より一層抑制することができる。
【００７８】
なお、本実施形態のサッシ枠３は樹脂と金属との組み合わせからなる複合サッシ枠であるが、この構成に限られず、金属製の部分を有さない樹脂製のサッシ枠としてもよい。
【００７９】
また、上述したように、本実施形態のサッシ枠３の横サッシ枠部１２は、突出板部１２ｃとフレーム構造体１００の横フレーム部５の第２鉛直板部３３とが締結部材８ｄにより締結されることにより、フレーム構造体１００に対して固定されている。つまり、本実施形態の支持部材５０及びサッシ枠３は、フレーム構造体１００の横フレーム部５の異なる位置に固定されており、サッシ枠３の金属製の本体部１２ａと、支持部材５０の板状突出部５２と、屋内外方向において、互いに離間した状態とされている。換言すれば、両者の間には空隙が形成されている。本実施形態では、この空隙に断熱材９が配置されている。
【００８０】
更に、本実施形態の額縁９１は、支持部材５０に加えて、内装材１ｃ及びこの内装材１ｃを固定する下地材６１、により下方から支持されているが、この構成に限られるものではない。
【００８１】
図５は、支持部材５０、横フレーム部５、及び、額縁９１の下辺部９１ａ、を屋内側から見た図である。図５に示すように、支持部材５０は、額縁９１の長さ方向に沿って離間して複数配置されていることが好ましい。図５において額縁９１の長さ方向とは、横フレーム部５の延在方向（水平方向のうち厚み方向Ａと直交する方向Ｃ）である。このように、支持部材５０を額縁９１の長さ方向に沿って離間して複数配置することで、額縁９１の長さ方向に沿って延在する１つのみの支持部材とする場合と比較して、横フレーム部５との接触面積を低減できる。すなわち、介在部材Ｘとしてのフレーム構造体１００と、支持部材５０と、の間の伝熱を、より抑制することができる。
【００８２】
本発明に係る額縁の取付構造及び建物は、上述した実施形態に示す具体的な構成に限られるものではなく、特許請求の範囲を逸脱しない限り、種々の変形・変更が可能である。例えば、サッシ枠３の縦サッシ枠部１１及び横サッシ枠部１２の断面形状など、開口部構造の各構成要素の断面形状は、上述の実施形態で示す形状に限られるものではない。
【産業上の利用可能性】
【００８３】
本発明は、額縁の取付構造及び建物に関する。
【符号の説明】
【００８４】
１：外壁部
１ａ：外装材
１ｂ：断熱材
１ｃ：内装材
２：開口部
３：サッシ枠
４：第１縦フレーム部
４ａ：取付面
５：横フレーム部
５ａ：取付面
６：第２縦フレーム部
６ａ：第１躯体取付部
６ｂ：第２躯体取付部
８ａ、８ｂ、８ｄ、８ｅ：締結部材
９：断熱材
１０：建具
１０ａ：ガラス板
１０ｂ：框
１１：縦サッシ枠部
１１ａ：本体部
１１ｂ：断熱部
１１ｃ：突出板部
１２：横サッシ枠部
１２ａ：本体部
１２ａ１：サッシ枠内面
１２ｂ：断熱部
１２ｃ：突出板部
２１：底板部
２２：第１側板部
２２ａ：突出部
２３：第２側板部
３１：第１鉛直板部
３２：第１水平板部
３３：第２鉛直板部
３４：先端板部
３５：第２水平板部
３６：基端板部
４１：正面板部
４２：側面板部
４３：後端板部
５０：支持部材
５１：板状支持部
５２：板状突出部
５２ａ：固定部
６１：下地材
９１：額縁
９１ａ：下辺部
９１ｃ、９１ｄ：側辺部
１００：フレーム構造体
１０１：フレーム内面
２００：サッシユニット
Ａ：外壁部の厚み方向
Ｂ：横フレーム部の幅方向
Ｃ：水平方向のうち外壁部の厚み方向と直交する方向
Ｓ：収容空間
Ｘ：介在部材
【図１】
2019190178.tif 000003
【図２】
2019190178.tif 000004
【図３】
2019190178.tif 000005
【図４】
2019190178.tif 000006
【図５】
2019190178.tif 000007